(57)【要約】【課題】居住者全体にとって快適な空調を提供することができる空調制御装置、空調制御方法、及び、空調制御プログラムを提供することである。【解決手段】実施形態の空調制御装置は、受信部と取得部と制御部とを持つ。受信部は、空調装置によって温度制御される領域に位置する、複数の端末装置にそれぞれ設定される第１の設定温度を受信する。取得部は、前記領域における各端末装置の滞在時間を取得する。制御部は、前記各端末装置の前記第１の設定温度及び前記滞在時間に基づいて、前記空調装置に出力する第２の設定温度を決定する。【選択図】図７
2019056498.tif 000002
【特許請求の範囲】
【請求項１】
空調装置によって温度制御される領域に位置する、複数の端末装置にそれぞれ設定される第１の設定温度を受信する受信部と、
前記領域における各端末装置の滞在時間を取得する取得部と、
前記各端末装置の前記第１の設定温度及び前記滞在時間に基づいて、前記空調装置に出力する第２の設定温度を決定する制御部と、
を備える空調制御装置。
【請求項２】
前記制御部は、前記滞在時間に基づいて前記各端末装置の優先度を決定し、前記優先度に応じた前記第１の設定温度に基づいて前記第２の設定温度を決定する、
請求項１に記載の空調制御装置。
【請求項３】
前記制御部は、前記滞在時間が第１の前記端末装置より短い第２の前記端末装置の前記優先度を、前記第１の端末装置の前記優先度より高い値に決定する、
請求項２に記載の空調制御装置。
【請求項４】
前記制御部は、前記滞在時間が第１の閾値より短い第３の前記端末装置の前記優先度を、前記滞在時間が前記第１の閾値以上の他の前記端末装置の前記優先度より高い値に決定する、
請求項２に記載の空調制御装置。
【請求項５】
前記制御部は、前記滞在時間が第１の前記端末装置より長い第２の前記端末装置の前記優先度を、前記第１の端末装置の前記優先度より高い値に決定する、
請求項２に記載の空調制御装置。
【請求項６】
前記制御部は、前記滞在時間が第２の閾値より長い第４の前記端末装置の前記第１の設定温度を前記空調装置の熱量消費が小さくなる方向に変更し、変更後の前記第１の設定温度に基づいて前記第２の設定温度を決定する、
請求項１から５のいずれか一項に記載の空調制御装置。
【請求項７】
空調装置によって温度制御される領域に位置する、複数の端末装置にそれぞれ設定される第１の設定温度を受信し、
前記領域における各端末装置の滞在時間を取得し、
前記各端末装置の前記第１の設定温度及び前記滞在時間に基づいて、前記空調装置に出力する第２の設定温度を決定する、
空調制御方法。
【請求項８】
コンピュータに、
空調装置によって温度制御される領域に位置する、複数の端末装置にそれぞれ設定される第１の設定温度を受信し、
前記領域における各端末装置の滞在時間を取得し、
前記各端末装置の前記第１の設定温度及び前記滞在時間に基づいて、前記空調装置に出力する第２の設定温度を決定する、
処理を実行させるための空調制御プログラム。
【発明の詳細な説明】
【技術分野】
【０００１】
本発明の実施形態は、空調制御装置、空調制御方法、及び、空調制御プログラムに関する。
【背景技術】
【０００２】
従来、空調機の温度設定は１台のリモコンで行われるか、建物内の複数の空調機の温度設定が１台のリモコンによって制御される。この場合、リモコンの操作者によって空調機の温度設定が行われる。
一方、スマートフォン等の端末装置の無線機能などを利用した無線リモコンが普及し始めている。端末装置への無線リモコンの搭載は、端末装置にアプリケーションをインストールすることによって実現できる。これにより、ユーザは、端末装置を個人専用のリモコン機器として機能させることができる。この場合、１台の空調機に対して、複数のリモコン機器を割り当てることが可能になる。
空調機によって空調が制御される領域に複数の居住者が居る場合、ある居住者が快適に感じる温度は、他の居住者にとって寒すぎたり暑すぎたりというように不快に感じる場合がある。１台の空調機に対して複数のリモコン機器が割り当てられる場合、頻繁に設定温度の変更が行なわれる場合があった。
【先行技術文献】
【特許文献】
【０００３】
【特許文献１】特開２００４−１０２６５３号公報
【特許文献２】特開２０１３−１６４２１２号公報
【特許文献３】特開２０１１−０７５２４６号公報
【特許文献４】特開２０１４−００３３９１号公報
【発明の概要】
【発明が解決しようとする課題】
【０００４】
本発明が解決しようとする課題は、居住者全体にとって快適な空調を提供することができる空調制御装置、空調制御方法、及び、空調制御プログラムを提供することである。
【課題を解決するための手段】
【０００５】
実施形態の空調制御装置は、受信部と取得部と制御部とを持つ。受信部は、空調装置によって温度制御される領域に位置する、複数の端末装置にそれぞれ設定される第１の設定温度を受信する。取得部は、前記領域における各端末装置の滞在時間を取得する。制御部は、前記各端末装置の前記第１の設定温度及び前記滞在時間に基づいて、前記空調装置に出力する第２の設定温度を決定する。
【図面の簡単な説明】
【０００６】
【図１】第１の実施形態の空調制御システムを説明する図。
【図２】第１の実施形態の空調制御装置の機能構成の具体例を示すブロック図。
【図３】図２で説明した設定温度データベースの具体例を示す図。
【図４】第１の実施形態の端末装置の機能構成の具体例を示すブロック図。
【図５】第１の実施形態の端末装置で動作するアプリケーションの画面の第１の例を示す図。
【図６】第１の実施形態における、空調制御装置と端末装置との間の通信処理の流れを説明するシーケンスチャートを示す図。
【図７】第１の実施形態の空調制御装置の処理の流れを説明するフローチャートを示す図。
【図８】第１の実施形態の端末装置で動作するアプリケーションの画面の第２の例を示す図。
【図９】図７における決定設定温度の決定処理（ステップＳ２６）の詳細を説明する第１のフローチャートを示す図。
【図１０】図７における決定設定温度の決定処理（ステップＳ２６）の詳細を説明する第２のフローチャートを示す図。
【図１１】変形例の端末装置で動作するアプリケーションの画面の例を示す図。
【発明を実施するための形態】
【０００７】
以下、実施形態の空調制御装置、空調制御方法、及び、空調制御プログラムを、図面を参照して説明する。
【０００８】
（第１の実施形態）
図１は、第１の実施形態の空調制御システムを説明する図である。図１の空調制御システムは、部屋等の空間の空調を制御するシステムである。空調制御システムは、空調機（空調装置）２０、複数の吹き出し口２１、空調制御装置３０、複数の端末装置１０を備える。以下では、端末装置１０ａ〜１０ｃをそれぞれ区別しない場合、端末装置１０という。同様に、以下では、吹き出し口２１ａ〜２１ｄをそれぞれ区別しない場合、吹き出し口２１という。
【０００９】
空調機２０は、空気の状態を制御する装置である。空調機２０は、空調制御装置３０の制御に応じて、吹き出し口２１から出力する空気の温度や風力を制御する。図１に示す空調制御システムでは、それぞれの吹き出し口２１から同一の温度、及び、風量の空気が出力される。
【００１０】
空調制御装置３０は、無線通信の機能を持つ。空調制御装置３０は、予め設定された受信範囲（例えば、半径２ｍ−１０ｍ程度）に位置する端末装置１０と無線通信を行う。空調制御装置３０の受信範囲は、空調機２０によって温度制御される領域に対応する。図１は、空調制御装置３０の受信範囲に、端末装置１０ａ〜１０ｃが位置する場合を示す。
【００１１】
端末装置１０は、無線の通信機能を備えた携帯機器である。端末装置１０は、例えば、スマートフォン等の多機能携帯電話やスマートウォッチ等のウェアラブルデバイスである。第１の実施形態における端末装置１０の通信機能は、Bluetooth（登録商標） Low Energy（ＢＬＥ）の通信方式にしたがって、実現される。ただし、この例に限定されるものではなく、端末装置１０の通信機能は、Bluetooth（登録商標）やＷｉ−Ｆｉ（登録商標）等の通信方式にしたがって実現されてもよい。
また、端末装置１０は、空調機２０を操作するリモコン機能を実行するアプリケーションを搭載する。これにより、端末装置１０は、無線リモコン端末装置として機能する。端末装置１０のユーザは、アプリケーションを使用して、対象の空調機２０に対して所望の希望設定温度（第１の設定温度）を予め入力しておく。端末装置１０は、入力された希望設定温度を保持する。
【００１２】
なお、図１に示す空調制御装置３０は、インターネットを介して、クラウドコンピュータ５０と接続する。空調制御装置３０は、クラウドコンピュータ５０から、端末装置１０に関する情報を受信する。
【００１３】
図２は、第１の実施形態の空調制御装置３０の機能構成の具体例を示すブロック図である。空調制御装置３０は、バスで接続されたＣＰＵ（Central Processing Unit）やメモリや補助記憶装置などを備え、プログラムを実行する。空調制御装置３０は、プログラムの実行によって第一通信部３１、第二通信部３２、記憶部３３、取得部３５、制御部３６を備える装置として機能する。
【００１４】
なお、空調制御装置３０の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、ＳＤカードを含むフラッシュＲＯＭ等の可搬媒体、コンピュータシステムに内蔵されるハードディスク等の記憶装置である。プログラムは、電気通信回線を介して送信されてもよい。
【００１５】
第一通信部３１は、端末装置１０及びクラウドコンピュータ５０と通信するための通信インタフェースを含んで構成される。第二通信部３２は、無線ＬＡＮ規格等にしたがって、クラウドコンピュータ５０と通信する。
【００１６】
第二通信部３２は、ＢＬＥ等の通信方式にしたがって端末装置１０と通信する。この場合、第二通信部３２は、デバイススキャンによって、受信範囲に位置する端末装置１０を検出する。第二通信部３２は、受信範囲に位置する端末装置１０から、当該端末装置１０を識別する端末ＩＤ、及び、希望設定温度を含むパケットを受信する。前述したとおり、希望設定温度は、ユーザ（居住者）が空調機２０に対して設定する温度であって、端末装置１０に搭載されるアプリケーション上で予め設定される。
【００１７】
記憶部３３は、第二通信部３２が受信した端末ＩＤ及び希望設定温度を、受信した時刻情報に関連付けて、設定温度データベース３４に記憶する。設定温度データベース３４の詳細は、図３にしたがって後述する。
【００１８】
取得部３５は、各端末装置１０の、アドバタイジングパケットの受信範囲における滞在時間を取得する。取得部３５は、例えば、設定温度データベース３４を参照し、端末装置１０からの端末ＩＤ及び希望設定温度の受信の有無に基づいて、各端末装置１０の滞在時間を取得する。取得部３５は、取得した各端末装置１０の滞在時間を、設定温度データベース３４に記憶する。
【００１９】
制御部３６は、受信範囲に位置する各端末装置１０の希望設定温度及び滞在時間に基づいて希望設定温度を調停し、空調機２０に出力する決定設定温度（第２の設定温度）を決定する。制御部３６は、決定設定温度を空調機２０に出力する。空調機２０は、制御部３６から出力された決定設定温度にしたがって、吹き出し口２１から出力する空気の温度や風量を制御する。
【００２０】
図３は、図２で説明した設定温度データベース３４の具体例を示す図である。設定温度データベース３４は、記憶部３３（図２）に記憶される。第１の実施形態における設定温度データベース３４は、時刻、端末装置１０を識別する端末ＩＤ（identification）、希望設定温度、滞在時間の各値を有する。時刻は、第二通信部３２が端末装置１０から端末ＩＤ及び希望設定温度を含むパケットを受信した時刻を示す。希望設定温度は、各端末装置１０で入力された設定温度である。滞在時間は、第二通信部３２の受信範囲における端末装置１０の滞在時間を示す。
【００２１】
図３に示す設定温度データベース３４は、時刻「2017/09/01 09:00:00」に、端末装置１０ａから受信した、端末ＩＤ「１０ａ」及び希望設定温度「２６度」を含むレコードを有する。また、設定温度データベース３４は、同一の時刻「2017/09/01 09:00:00」に受信した、端末ＩＤ「１０ｂ」及び希望設定温度「２２度」を含むレコード、端末ＩＤ「１０ｃ」及び希望設定温度「２８度」を含むレコードを有する。
【００２２】
同様にして、設定温度データベース３４は、別の時刻「2017/09/01 09:03:00」に、各端末装置１０から受信した、端末ＩＤ及び希望設定温度を含むレコードを有する。このように、設定温度データベース３４は、端末装置１０から受信した時刻に関連付けた、端末ＩＤ及び希望設定温度の情報を有する。
【００２３】
また、図３に示す設定温度データベース３４によると、時刻「2017/09/01 09:03:00」から時刻「2017/09/01 09:06:00」にかけて、端末ＩＤ「１０ａ」の希望設定温度が「２６度」から「２７度」に変化している。このように、希望設定温度はユーザによって変更される場合がある。また、設定温度データベース３４は、時刻「2017/09/01 09:09:00」について、端末ＩＤ「１０ａ」のレコードを有していない。これは、この時、アドバタイジングパケットに端末装置１０ａが応答しなかったことを示す。
【００２４】
図４は、第１の実施形態の端末装置１０の機能構成の具体例を示すブロック図である。端末装置１０は、バスで接続されたＣＰＵやメモリや補助記憶装置などを備え、プログラムを実行する。端末装置１０は、プログラムの実行によって通信部１１、制御部１２、表示部１３、記憶部１４、操作部１５を備える装置として機能する。
【００２５】
なお、端末装置１０の各機能の全て又は一部は、ＡＳＩＣやＰＬＤやＦＰＧＡ等のハードウェアを用いて実現されてもよい。端末装置プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ、ＳＤカードを含むフラッシュＲＯＭ等の可搬媒体、コンピュータシステムに内蔵されるハードディスク等の記憶装置である。端末装置プログラムは、電気通信回線を介して送信されてもよい。
【００２６】
通信部１１は、所定の周波数帯の電波に情報を重畳させて無線通信を行う。また、通信部１１は、ＢＬＥやＷｉ−Ｆｉ（登録商標）等の通信方式にしたがって無線通信を行う。表示部１３は、例えば液晶表示装置、有機ＥＬ（エレクトロルミネッセンス）表示装置、電子インク表示装置等である。表示部１３は、アプリケーションの画像情報等を表示する。記憶部１４は、端末装置１０の制御に必要なプログラム、アプリケーションを記憶する。
【００２７】
操作部１５は、例えば表示部１３に設けられているタッチパネルセンサーである。なお、操作部１５は、キーボードであってもよく、音声取得部と音声認識部であってもよい。操作部１５は、利用者が操作した操作結果を検出し、検出した検出結果を制御部１２に出力する。制御部１２は、希望設定温度の入力を促すアプリケーションの画面を、表示部１３に表示させる。制御部１２は、操作部１５の検出結果に基づいて、画面上で入力された希望設定温度を記憶部１４に保持させる。
【００２８】
図５は、第１の実施形態の端末装置１０で動作するアプリケーションの画面の第１の例を示す図である。図５は、職場に設置された空調機２０に対する希望設定温度の入力を促す画面（１３、１５）を例示する。このように、端末装置１０ａで動作するアプリケーションは、制御対象の空調機２０の希望設定温度の入力をユーザに促す。アプリケーションは、入力された希望設定温度を記憶部１４に保持させる。
【００２９】
なお、図５の画面は、一つの空調機２０の希望設定温度の入力を促す画面を示すが、この例に限定されるものではない。アプリケーションは、複数の空調機２０それぞれの希望設定温度の入力を促してもよい。または、アプリケーションは、複数の空調機２０に共通の希望設定温度の入力を促してもよい。アプリケーションは、例えば、自宅及び職場の空調機２０に共通の希望設定温度の入力を促す。
【００３０】
図６は、第１の実施形態における、空調制御装置３０と端末装置１０との間の通信処理の流れを説明するシーケンスチャートを示す図である。図６は、空調制御装置３０と、端末装置１０ａ、１０ｂとの間の通信処理を示す。なお、同図は端末装置１０ｃを図示していないが、空調制御装置３０と端末装置１０ｃとの間の通信処理は、端末装置１０ａ、１０ｂとの間の通信処理と同様である。
【００３１】
空調制御装置３０の第二通信部３２は、デバイススキャンによって、受信範囲に位置する端末装置１０を検出する。具体的に、第二通信部３２は、アドバタイジング（Advertising）パケットを送信する（ステップＳ１１）。アドバタイジングパケットは、空調制御装置３０の受信範囲に位置する端末装置１０を探すためのパケットである。本実施の形態では、第二通信部３２は、３分ごとにアドバタイジングパケットを送信する。
【００３２】
受信範囲に位置する端末装置１０ａは、アドバタイジングパケットを受信する。アドバタイジングパケットは、ＵＵＩＤ（Universally Unique Identifier）を含む。ＵＵＩＤは、サービスを識別する情報である。端末装置１０ａは、ＵＵＩＤを解析して、ＵＵＩＤに対応するアプリケーションを起動させる（ステップＳ１２）。
【００３３】
次に、端末装置１０ａは、アドバタイジングパケットの送信元の空調制御装置３０との間で、接続処理、及び、パケットの送受信処理を行う（ステップＳ１４）。
【００３４】
具体的に、端末装置１０ａは、アドバタイジングパケットの送信元の空調制御装置３０にコネクトリクエスト（Connect Request）パケットを送信する。コネクトリクエストパケットは、通信の確立を要求するためのパケットである。空調制御装置３０がコネクトリクエストパケットを受信すると、端末装置１０ａと空調制御装置３０との間でＢＬＥによる通信が確立する。空調制御装置３０と接続処理が確立されると、端末装置１０ａは、自身の端末ＩＤ「１０ａ」及び希望設定温度を含むパケットを生成し、空調制御装置３０に送信する。パケットを受信すると、第二通信部３２は、ディスコネクトパケットを端末装置１０ａに送信し通信を切断する。
【００３５】
同様にして、端末装置１０ｂは、アドバタイジングパケットの受信に応じて、ＵＵＩＤに対応するアプリケーションを起動させる（ステップＳ１３）。端末装置１０ｂは、アドバタイジングパケットの送信元の空調制御装置３０との間で、接続処理、及び、パケットの送受信処理を行う（ステップＳ１５）。空調制御装置３０と接続処理が確立されると、端末装置１０ｂは、自身の端末ＩＤ「１０ｂ」及び希望設定温度を含むパケットを生成し、空調制御装置３０に送信する。パケットを受信すると、第二通信部３２は、ディスコネクトパケットを端末装置１０ｂに送信し通信を切断する。
【００３６】
空調制御装置３０の記憶部３３は、各端末装置１０から受信したパケットが含む端末ＩＤ及び希望設定温度を、受信した時刻に対応付けて設定温度データベース３４に記憶する。また、取得部３５は端末装置１０ａ、１０ｂの滞在時間を取得し、制御部３６は端末装置１０ａ、１０ｂの滞在時間及び希望設定温度に基づいて、決定設定温度を決定する。
【００３７】
送信間隔（３分）が経過すると、空調制御装置３０は、アドバタイジングパケットを送信する（ステップＳ１６）。同様にして、受信範囲に位置する端末装置１０ａ、１０ｂは、空調制御装置３０との間で、接続処理及びパケットの送受信処理を行う（ステップＳ１７、Ｓ１８）。送信間隔が経過する度に、ステップＳ１６〜Ｓ１８と同様の処理が行われる。
【００３８】
なお、端末装置１０ａは、空調制御装置３０の受信範囲から移動した場合、空調制御装置３０が送信するアドバタイジングパケットに応答しない。この場合、端末装置１０ａから空調制御装置３０に、端末ＩＤ及び希望設定温度を含むパケットが送信されない。
【００３９】
ここで、図７〜図１０にしたがって、空調制御装置３０の処理の流れを説明する。
【００４０】
図７は、第１の実施形態の空調制御装置３０の処理の流れを説明するフローチャート図である。図６で説明したとおり、空調制御装置３０の第二通信部３２は、アドバタイジングパケットを送信する（ステップＳ２１）。ステップＳ２１の処理は、図６のステップＳ１１、Ｓ１６の処理に対応する。
【００４１】
第二通信部３２は、アドバタイジングパケットに応答した端末装置１０と接続処理を確立し、端末ＩＤ及び希望設定温度を含むパケットを受信する（ステップＳ２２）。ステップＳ２２の処理は、図６のステップＳ１４、Ｓ１５、Ｓ１７、Ｓ１８の処理に対応する。空調制御装置３０の記憶部３３は、受信した端末ＩＤ及び希望設定温度を受信した時刻に関連付けて、設定温度データベース３４に記憶する（ステップＳ２３）。
【００４２】
他の端末装置１０からアドバタイジングパケットに対する応答があった場合（ステップＳ２４のＹＥＳ）、第二通信部３２は、ステップＳ２２の処理に遷移する。一方、他の端末装置１０からアドバタイジングパケットに対する応答がない場合（ステップＳ２４のＮＯ）、すなわち、受信範囲に位置する端末装置１０が他に存在しない場合、空調制御装置３０はステップＳ２５に遷移する。
【００４３】
空調制御装置３０の取得部３５は、各端末装置１０の滞在時間を取得して、設定温度データベース３４に記憶する（ステップＳ２５）。第二通信部３２は、アドバタイジングパケットを定期的に送信し、受信範囲（領域）に位置する端末装置１０の端末ＩＤを受信する。したがって、取得部３５は、端末ＩＤの受信の有無に基づいて、各端末装置１０の滞在時間を取得する。取得部３５は、アドバタイジングパケットに応じて、端末装置１０が連続して応答した期間を、滞在時間として取得する。
【００４４】
取得部３５は、例えば、設定温度データベース３４を参照して、滞在時間を取得する対象の端末装置１０が、前回送信したアドバタイジングパケットに応答したか否かを判定する。前回応答した端末装置１０については、取得部３５は、前回取得した滞在時間にアドバタイジングパケットの送信間隔を加算した時間を滞在時間として取得する。一方、前回応答しなかった端末装置１０については、取得部３５は、アドバタイジングパケットの送信間隔を滞在時間として取得する。
【００４５】
ここで、図３に示す設定温度データベース３４を参照し、時刻「2017/09/01 09:06:00」の端末ＩＤ「１０ａ」の滞在時間を取得する処理の具体例を説明する。設定温度データベース３４は、前回の時刻「2017/09/01 09:03:00」について、端末ＩＤ「１０ａ」のレコードを有する。これは、端末装置１０ａが、前回送信したアドバタイジングパケットに応答したことを意味する。このため、取得部３５は、前回送信したアドバタイジングパケットに応答したときの、端末ＩＤ「１０ａ」の滞在時間「１時間６分」に送信間隔「３分」を加算する。これにより、取得部３５は、時刻「2017/09/01 09:06:00」について、滞在時間「１時間９分」を取得する。
【００４６】
なお、設定温度データベース３４は、時刻「2017/09/01 09:09:00」について、端末ＩＤ「１０ａ」のレコードを有していない。これは、端末装置１０ａが、アドバタイジングパケットに応答しなかったことを意味する。
【００４７】
なお、端末装置１０は、空調制御装置３０との間にある遮蔽物や通信状態等の影響を受けて、受信範囲に位置するにも関わらずアドバタイジングパケットに応答しない場合がある。または、空調制御装置３０は、遮蔽物や通信状態等の影響を受けて、端末装置１０からのパケットを受信できない場合がある。このため、取得部３５は、所定時間内のアドバタイジングパケットに対する端末装置１０の応答状況に基づいて、滞在時間を取得してもよい。
【００４８】
取得部３５は、例えば、所定時間のうち１回以上、アドバタイジングパケットに対して応答した端末装置１０については滞在が継続していると推定し、滞在時間を取得する。所定時間は、例えば１０分である。取得部３５は、１０分間に１回以上、アドバタイジングパケットに対して応答した端末装置１０については、滞在が継続していると推定する。
【００４９】
図７のフローチャートに戻り、滞在時間を取得すると、空調制御装置３０の制御部３６は、各端末装置１０の滞在時間及び希望設定温度に基づいて、決定設定温度を決定する（ステップＳ２６）。本実施の形態例における制御部３６は、各端末装置１０で設定された希望設定温度と、各端末装置１０の滞在時間とに基づいて決定設定温度を決定する。
【００５０】
滞在時間に応じて、ユーザ（居住者）の所望する設定温度や、体感温度は変化する。例えば、冷房を効かせている場合、滞在時間の短い（新たに部屋に入ってきた）居住者は、滞在時間が長い場合より、空調の効力をより強く求める傾向にある。また、冷房を効かせている場合、滞在時間の長い居住者は、同一の設定温度であっても、滞在時間が短い場合より設定温度を低く感じる傾向にある。したがって、各居住者の滞在時間をさらに加味することにより、居住者全体にとってより快適な決定設定温度を決定することが可能になる。ステップＳ２６の処理の詳細は、図９及び図１０で後述する。
【００５１】
制御部３６は、ステップＳ２６で決定した決定設定温度を、第二通信部３２を介して空調機２０に出力する（ステップＳ２７）。空調機２０は、空調制御装置３０から出力された決定設定温度にしたがって、吹き出し口２１から出力する空気の温度や風量を制御する。
【００５２】
制御部３６は、決定設定温度を、第二通信部３２を介して各端末装置１０に送信する（ステップＳ２８）。このとき、制御部３６は、決定設定温度に加えて、各端末装置１０から受信した希望設定温度を端末装置１０にさらに送信してもよい。端末装置１０は、空調制御装置３０から受信した決定設定温度、及び、各希望設定温度を表示する。
【００５３】
図８は、第１の実施形態の端末装置１０で動作するアプリケーションの画面の第２の例を示す図である。図８に示す画面は、希望設定温度「２６度」に加えて、空調制御装置３０によって決定された決定設定温度「２５度」を表示する。
【００５４】
このように、空調制御装置３０は、決定設定温度「２５度」を端末装置１０に送信し、端末装置１０に表示させる。これにより、居住者は、自身が設定した希望設定温度「２６度」と、空調制御装置３０が決定した決定設定温度「２５度」との差異を認識することができる。居住者は、自身が設定した希望設定温度と、他の居住者が設定した希望設定温度との相関関係を推定することができ、決定設定温度を受け入れ易くなる。
【００５５】
また、図８に示すように、端末装置１０は、決定設定温度「２５度」に加えて、各端末装置１０の希望設定温度の分布を表わすグラフ１６を表示してもよい。グラフ１６の横軸は設定温度、縦軸は数を示す。
【００５６】
図８に示すグラフ１６は、希望設定温度が「２４度」の端末装置１０が「１」個、希望設定温度が「２５度」の端末装置１０が「２」個、希望設定温度が「２６度」の端末装置１０が「１」個である場合の分布を表す。グラフ１６における矢印１７は、自身の端末装置１０の希望設定温度を指し示す。なお、グラフ１６には、各希望設定温度に対応する端末ＩＤがさらに表示されてもよい。
【００５７】
このように、本実施の形態における空調制御装置３０は、決定設定温度「２５度」に加えて、各端末装置１０から受信した各希望設定温度を端末装置１０に送信し、表示させる。これにより、居住者は、他の居住者が希望する希望設定温度の分布を検知することができる。居住者は、個々の居住者が希望する希望設定温度の分布のうち、自身の希望設定温度がいずれの範囲に位置するかを検知することができる。これにより、居住者は、自身が設定した希望設定温度と、他の居住者が設定した希望設定温度との相関関係を明確に認識することができ、決定設定温度をより受け入れ易くなる。
【００５８】
図９は、図７における決定設定温度の決定処理（ステップＳ２６）の詳細を説明する第１のフローチャートを示す図である。前述したとおり、図７のステップＳ２６において、制御部３６は、各端末装置１０の滞在時間及び希望設定温度に基づいて、決定設定温度を決定する。
【００５９】
具体的に、制御部３６は、各端末装置１０の滞在時間に基づいて、端末装置１０ごとの優先度を決定する（ステップＳ２６０１）。制御部３６は、例えば、滞在時間が端末装置１０より短い第２の端末装置１０の優先度を、第１の端末装置１０の優先度より高い値に決定する。
【００６０】
滞在時間が短い居住者は、空調機２０が設置された部屋に新たに部屋に入ってきた居住者である。前述したとおり、冷房を効かせている場合、滞在時間の短い居住者は、滞在時間が長い場合より、空調の効力をより強く求める傾向にある。言い換えると、滞在時間が短い居住者は、自身の希望設定温度にしたがった空調の制御をより求める傾向にある。このため、制御部３６は、滞在時間が短い端末装置１０の優先度を高くする。
【００６１】
暖房を効かせる場合についても同様である。暖房を効かせている場合、滞在時間の短い居住者は、滞在時間が長い場合より、空調の効力をより強く求める傾向にある。また、滞在時間が短い居住者は、自身の希望設定温度にしたがった空調の制御をより欲する傾向にある。このため、制御部３６は、滞在時間が短い端末装置１０の優先度を高くする。
【００６２】
なお、ステップＳ２６０１において、制御部３６は、滞在時間が所定時間（第１の閾値）より短い第３の端末装置１０の優先度を、滞在時間が所定時間以上の他の端末装置１０の優先度より高い値に決定してもよい。所定時間は、例えば１０分である。言い換えると、制御部３６は、滞在時間が１０分より短い端末装置１０の優先度を、滞在時間が１０分以上の無線装置の優先度より高くする。
【００６３】
このように優先度を決定することにより、制御部３６は、決定設定温度を、滞在時間が短い居住者の希望設定温度を重視した温度に決定することができる。すなわち、制御部３６は、各居住者の希望設定温度を加味しながら、新たに部屋に入ってきた居住者についても快適な設定温度になるように、決定設定温度を決定することができる。これにより、制御部３６は、居住者全体にとってより快適な空調を提供することができる。
【００６４】
制御部３６は、端末装置１０の優先度に応じた係数を取得する（ステップＳ２６０２）。制御部３６は、例えば、優先度が高い端末装置１０について、値「１」より大きい係数を取得する。一方、制御部３６は、優先度が低い端末装置１０について、値「１」より小さい係数を取得する。優先度に応じた係数は、例えば、検証等にしたがって決定される。
【００６５】
制御部３６は、各端末装置１０の希望設定温度に係数を乗算した値の総和を端末装置１０の数で除算することで、決定設定温度を算出する（ステップＳ２６０３）。すなわち、制御部３６は、優先度が反映された複数の端末装置１０の希望設定温度の平均値を、決定設定温度として算出する。このように、制御部３６は、滞在時間に基づいて決定された優先度に応じた各希望設定温度に基づいて、決定設定温度を算出する。
【００６６】
ここで、図３の設定温度データベース３４に基づく具体例を説明する。ここでは、時刻「2017/09/01 09:00:00」の各端末装置１０の情報に基づいて、決定設定温度を算出する場合を例示する。同図では、同時刻の端末装置１０ａの滞在時間は「１時間３分」、端末装置１０ｂの滞在時間は「６分」、端末装置１０ｃの滞在時間は「２時間３０分」である。制御部３６は、例えば、滞在時間がより短い端末装置１０ｂを優先度「高」に、他の端末装置１０ａ、１０ｃを優先度「低」に決定する（ステップＳ２６０１）。
【００６７】
制御部３６は、例えば、優先度「高」の端末装置１０ｂの係数「１．５」、及び、優先度「低」の端末装置１０ａ、１０ｃの係数「０．７５」を取得する（ステップＳ２６０２）。図３によると、時刻「2017/09/01 09:00:00」の端末装置１０ａの希望設定温度は「２６度」、端末装置１０ｂの希望設定温度は「２２度」、端末装置１０ｃの希望設定温度は「２８度」である。このため、制御部３６は、数式「（（26×0.75）+（22×1.5）+（28×0.75））÷3」にしたがって、決定設定温度「２４．５度」を算出する（ステップＳ２６０３）。
【００６８】
これに対し、優先度を設定しない場合における、希望設定温度の平均は値「２５．３（≒２５）度」である（＝（26+22+28）÷3）。このように、優先度を設けない場合に対して、滞在時間が短い端末装置１０ｂの希望設定温度「２２度」を重視した決定設定温度を算出することができる。
【００６９】
なお、上述したステップＳ２６０１では、制御部３６は、滞在時間が短い端末装置１０の優先度を高くする場合を例示した。これに対し、制御部３６は、滞在時間が長い端末装置１０の優先度を高くしてもよい。滞在時間が長い居住者は、住環境の影響をより長い期間受ける。滞在時間が長い居住者の希望設定温度を重視することにより、住環境の影響をより多く受ける居住者に快適な空調を提供することができる。
【００７０】
この場合、制御部３６は、滞在時間が第１の端末装置１０より長い第２の端末装置１０の優先度を、第１の端末装置１０の優先度より高い値に決定する。これにより、制御部３６は、滞在時間が長い居住者が設定した希望設定温度を重視して、決定設定温度を算出することができる。つまり、制御部３６は、各居住者の希望設定温度を加味しながら、滞在時間が長い居住者の意向を尊重した決定設定温度を算出することができる。これにより、制御部３６は、居住者全体にとってより快適な空調を提供することができる。
【００７１】
ここで、図３の設定温度データベース３４に基づく具体例を説明する。ここでは、時刻「2017/09/01 09:00:00」の各端末装置１０の情報に基づいて、決定設定温度を算出する場合を例示する。前述したとおり、同時刻の端末装置１０ａの滞在時間は「１時間３分」、端末装置１０ｂの滞在時間は「６分」、端末装置１０ｃの滞在時間は「２時間３０分」である。制御部３６は、例えば、滞在時間が長い端末装置１０ｃを優先度「高」に、滞在時間が次に長い端末装置１０ａを優先度「中」に、端末装置１０ｂを優先度「低」に決定する（ステップＳ２６０１）。
【００７２】
制御部３６は、例えば、優先度「高」の端末装置１０ｃの係数「１．３」、優先度「中」の端末装置１０ａの係数「１」、及び、優先度「低」の端末装置１０ｂの係数「０．７５」を取得する（ステップＳ２６０２）。制御部３６は、数式「（（26×1）+（22×0.75）+（28×1.3））÷3」にしたがって、決定設定温度「２６．３（≒２６）度」を算出する（ステップＳ２６０３）。
【００７３】
前述したとおり、優先度を設定しない場合における希望設定温度の平均は値「２５．３（≒２５）度」である。このように、優先度を設けない場合に対して、滞在時間が長い端末装置１０ｃの希望設定温度「２８度」を重視した決定設定温度を算出することができる。
【００７４】
なお、上述したステップＳ２６０２、Ｓ２６０３では、平均値に基づいて決定設定温度として算出する場合を例示した。ただし、決定設定温度の算出方法は、この例に限定されるものではない。制御部３６は、中央値や最頻値に基づいて決定設定温度を算出してもよい。
【００７５】
中央値や最頻値を用いる場合、制御部３６は、例えば、優先度が高い端末装置１０の希望設定温度と同一の標本を増加させる。すなわち、制御部３６は、優先度が高い１つの端末装置１０の希望設定温度を、２つの希望設定温度として算出に用いる。これにより、制御部３６は、優先度が高い端末装置１０における希望設定温度を重視して、決定設定温度を算出することができる。
【００７６】
ここで、図３の設定温度データベース３４の時刻「2017/09/01 09:00:00」の各端末装置１０の情報に基づいて、中央値にしたがって決定設定温度を算出する場合を例示する。例えば、端末装置１０ｂが優先度「高」である場合、制御部３６は、端末装置１０ｂの希望設定温度「２２度」を２つの標本に増加させる。すなわち、制御部３６は、標本「２２度、２２度、２６度、２８度」に基づき、中央値「２４（＝（22＋26）÷2）」を決定設定温度として算出する。
【００７７】
図１０は、図７における決定設定温度の決定処理（ステップＳ２６）の詳細を説明する第２のフローチャートを示す図である。図１０は、図９で説明した決定設定温度の決定処理の別の例を示す。
【００７８】
制御部３６は、滞在時間が所定時間（第２の閾値）より長い第４の端末装置１０の希望設定温度を、空調機２０の熱量消費が小さくなる方向に変更する（ステップＳ２６１１）。所定時間は、例えば１時間である。前述したとおり、冷房を効かせている場合、同一の設定温度であっても、滞在時間の長い居住者は、滞在時間が短い場合より温度を低く感じる傾向にある。言い換えると、冷房を効かせている場合、滞在時間の長い居住者は、同一の設定温度でも体感温度が低くなる傾向にある。
【００７９】
一方、暖房を効かせている場合、同一の設定温度であっても、滞在時間の長い居住者は、滞在時間が短い場合より、温度を高く感じる傾向にある。言い換えると、暖房を効かせている場合、滞在時間の長い居住者は、同一の設定温度でも体感温度が高くなる傾向にある。
【００８０】
したがって、制御部３６は、滞在時間が所定時間より長い端末装置１０の希望設定温度を、空調機２０の熱量消費が小さくなる方向に変更する。具体的に、制御部３６は、冷房を効かせている場合には、滞在時間が長い端末装置１０の希望設定温度を高くする。一方、制御部３６は、暖房を効かせている場合には、滞在時間が長い端末装置１０の希望設定温度を低くする。言い換えると、制御部３６は、滞在時間が所定時間より長い端末装置１０の希望設定温度を、外気の温度に近づける方向に変更する。
【００８１】
これにより、制御部３６は、各居住者の希望設定温度を加味しながら、滞在時間が長い居住者がより快適に感じる決定設定温度を算出することができる。また、制御部３６は、滞在時間が所定の条件を満たす端末装置１０の希望設定温度を、空調機２０の熱量消費が小さくなる方向に変更する。このため、空調機２０の熱量消費を抑制することが可能になる。
【００８２】
制御部３６は、変更後の各端末装置１０の希望設定温度の総和を、端末装置１０の数で除算し、決定設定温度を算出する（ステップＳ２６１２）。すなわち、制御部３６は、滞在時間にしたがって調整した各端末装置１０の希望設定温度の平均値を、決定設定温度として算出する。これにより、制御部３６は、各端末装置１０の滞在時間に応じた希望設定温度に基づいて、決定設定温度を算出できる。
【００８３】
ここで、図３の設定温度データベース３４に基づく具体例を説明する。ここでは、時刻「2017/09/01 09:00:00」の各端末装置１０の情報に基づいて、決定設定温度を算出する場合を例示する。図３の例は、冷房を利かせている場合に該当し、端末装置１０ａ、１０ｃの滞在時間が所定時間「１時間」より長い。このため、制御部３６は、例えば、端末装置１０ａの希望設定温度を「２６度」から「２７度」に、端末装置１０ｃの希望設定温度を「２８度」から「２９度」に変更する（ステップＳ２６１１）。制御部３６は、数式「（27+22+29）÷3」にしたがって、決定設定温度「２６度」を算出する（ステップＳ２６１２）。
【００８４】
希望設定温度を変更しない場合における各希望設定温度の平均は、値「２５．３（≒２５）度」である。したがって、滞在時間に基づいて希望設定温度を変更することにより決定設定温度が微増し、滞在時間が長い居住者にとってより快適な決定設定温度を算出することができる。
【００８５】
なお、制御部３６は、図１０における決定設定温度の算出処理（ステップＳ２６１２）においても、中央値や最頻値に基づいて決定設定温度を算出してもよい。中央値や最頻値に基づく決定設定温度の算出処理の詳細は、前述したとおりである。
【００８６】
また、制御部３６は、図９に示す処理と、図１０に示す処理を組み合わせてもよい。すなわち、制御部３６は、各端末装置１０の滞在時間に基づいて各端末装置１０の優先度を決定しながら、滞在時間が所定時間より長い端末装置１０の希望設定温度を変更する。これにより、居住者の滞在時間に応じた希望設定温度を反映するとともに滞在時間が長い居住者がより快適に感じる、決定設定温度を算出することができる。これにより、居住者全体が快適に感じる空調を提供するとともに、熱量消費を抑制することが可能になる。
【００８７】
なお、第１の実施の形態では、空調制御装置３０が、端末ＩＤ及び希望設定温度を端末装置１０から受信する場合を例示した。ただし、空調制御装置３０は、希望設定温度を必ずしも端末装置１０から受信する必要はない。空調制御装置３０は、端末装置１０から、少なくとも、受信範囲に位置する端末装置１０の端末ＩＤを受信すればよい。
【００８８】
この場合、例えば、端末ＩＤに関連づけて希望設定温度が、空調制御装置３０と通信回線を介して接続するクラウドコンピュータ５０（図１）に予め記憶される。空調制御装置３０は、受信範囲に位置する端末装置１０の端末ＩＤに基づいて、クラウドコンピュータ５０から、端末ＩＤに関連付けられた希望設定温度を取得する。これにより、空調制御装置３０は、受信範囲に位置する端末装置１０の端末ＩＤ及び希望設定温度を取得する。
【００８９】
以上説明した少なくともひとつの実施形態によれば、空調制御装置３０は、空調機２０によって温度制御される領域に位置する、複数の端末装置１０にそれぞれ設定される希望設定温度（第１の設定温度）を受信する第二通信部（受信部）３２を持つ。また、空調制御装置３０は、領域における各端末装置１０の滞在時間を取得する取得部３５と、各端末装置１０の希望設定温度（第１の設定温度）及び滞在時間に基づいて、空調機２０に出力する決定設定温度（第２の設定温度）を決定する制御部３６とを持つ。このように、滞在時間に基づくことにより、居住者全体にとって快適な決定設定温度を決定することが可能になる。したがって、空調制御装置３０は、居住者全体にとって快適な空調を提供することができる。
【００９０】
（変形例１）
上記の実施の形態では、制御部３６が、各端末装置１０の滞在時間及び希望設定温度に基づいて、空調機２０に出力する決定設定温度を決定する場合を例示した。制御部３６は、決定設定温度に加えて風量を決定してもよい。
【００９１】
この場合、端末装置１０に、希望設定温度に加えて、空調機２０に対して所望する希望風量が入力される。端末装置１０は、アドバタイジングパケットに応答して、端末ＩＤ及び希望設定温度に加えて、希望風量を含むパケットを空調制御装置３０に送信する。制御部３６は、決定設定温度の決定と同様の方法にしたがって、各端末装置１０の滞在時間及び希望風量に基づいて、風量を決定する。居住者の滞在時間に基づくことにより、居住者全体にとって快適な風量を決定することが可能になる。
【００９２】
（変形例２）
制御部３６は、変形例１に代えて、滞在時間が所定時間（第１の閾値）より短い端末装置１０がある場合に、風量を大きく変更してもよい。前述したとおり、滞在時間が短い居住者は、空調の効力をより強く求める傾向にある。滞在時間が短い端末装置１０の優先度を高くする場合、風量を大きくすることで決定設定温度をより早く実現することが可能になる。これにより、制御部３６は、新たに部屋に入ってきた居住者に対して、快適な空調を早期に提供することができる。
【００９３】
具体的に、制御部３６は、滞在時間が所定時間より短い端末装置１０がある場合、当該端末装置１０の優先度を高くして決定設定温度を決定するとともに、風量「大」に設定する。これにより、制御部３６は、滞在時間が短い端末装置１０がある場合、その希望設定温度を重視した決定設定温度を決定するとともに、風量を大きくすることができる。
【００９４】
（変形例３）
上記の実施の形態では、制御部３６が、各端末装置１０の滞在時間及び希望設定温度に基づいて、決定設定温度を決定する場合を例示した。制御部３６は、さらに、居住者の属性に基づいて決定設定温度を決定してもよい。職場等の居住環境では、居住者の属性に応じて居住環境に対する権限が異なる場合がある。居住者の属性に基づくことにより、居住環境に対する権限に沿った決定設定温度を決定することが可能になる。
【００９５】
この場合、空調制御装置３０は、端末ＩＤ及び希望設定温度に加えて、属性情報を端末装置１０から受信する。または、空調制御装置３０は、クラウドコンピュータ５０にアクセスして、各端末ＩＤに関連付けられた属性情報を取得してもよい。空調制御装置３０は、さらに属性情報に基づいて各端末装置１０の優先度を決定し、優先度に応じた希望設定温度に基づいて決定設定温度を算出する。
【００９６】
（変形例４）
上記の実施の形態では、制御部３６が、各端末装置１０の滞在時間及び希望設定温度に基づいて、決定設定温度を決定する場合を例示した。制御部３６は、滞在時間に加えて、居住者の運動量に基づいて、決定設定温度を決定してもよい。滞在時間が同一であっても、居住者の運動量に応じて各居住者の体感温度は異なる。制御部３６は、居住者の滞在時間に加えて運動量に基づくことにより、居住者全体にとってより快適な決定設定温度を決定することができる。
【００９７】
この場合、端末装置１０は、ユーザ（居住者）の運動量を算出する機能を備える。運動量の算出機能は、例えば、ユーザの歩数や心拍数に基づいて運動量を算出する。端末装置１０は、運動量の算出機能にしたがって、居住者の運動量を取得する。端末装置１０は、アドバタイジングパケットに応答して、端末ＩＤ及び希望設定温度に加えて、運動量の情報を空調制御装置３０に送信する。そして、空調制御装置３０は、各端末装置１０の、運動量の情報に基づいてその希望設定温度を調整する。例えば、制御部３６は、運動量「高」の端末装置１０の希望設定温度を低く変更する。または、制御部３６は、運動量「低」の端末装置１０の希望設定温度を高く変更する。
【００９８】
なお、冷房を効かせている場合、滞在時間が長く且つ運動量「低」の居住者の体感温度は、低くなり易い傾向にある。したがって、制御部３６は、図１０のステップＳ２６１１において、滞在時間が所定時間（第２の閾値）より長い端末装置１０であって、さらに運動量が「低」である場合に、希望設定温度を変更してもよい。
【００９９】
制御部３６は、変更後の希望設定温度に基づいて、決定設定温度を算出する。このように、制御部３６は、さらに運動量に基づくことにより、滞在時間に応じて快適に感じる希望設定温度が変化し易い居住者を特定し、希望設定温度を変更することができる。
【０１００】
（変形例５）
上記の実施の形態では、端末装置１０において、一つの空調機２０に対して一つの希望設定温度が入力される場合を例示した。ただし、この例に限定されるものではない。端末装置１０にて、一つの空調機２０に対して、時間帯ごとの希望設定温度が入力されてもよい。
【０１０１】
居住者が所望する希望設定温度は、時間帯に応じて異なる場合がある。例えば、居住者が、午前中に所望する希望設定温度と、昼食の直後に所望する希望設定温度とは異なる場合がある。時間帯に応じた希望設定温度を設けることにより、居住者全体にとって各時間帯において快適な決定設定温度を決定することができる。
【０１０２】
図１１は、変形例の端末装置１０で動作するアプリケーションの画面の例を示す図である。図１１に示す画面は、時間帯に応じた各希望設定温度を表す。図１１に示す画面によると、例えば、時間帯「６時〜１２時」の希望設定温度「２６度」、時間帯「１２時〜１５時」の希望設定温度「２４度」、時間帯「１５時〜１８時」の希望設定温度「２５度」、時間帯「１８時〜２１時」の希望設定温度「２６度」である。このように、端末装置１０は、時間帯ごとの希望設定温度を保持する。
【０１０３】
端末装置１０は、アドバタイジングパケットに応答して、現在の時刻を含む時間帯の希望設定温度を、空調制御装置３０に送信する。前述したとおり、本実施の形態における空調制御装置３０は、定期的にアドバタイジングパケットを送信する。このため、端末装置１０は、各時間帯に応じて設定された希望設定温度を、タイムリーに決定設定温度に反映させることができる。
【０１０４】
なお、各時間帯の希望設定温度は、端末装置１０上で機械学習されてもよい。図５に例示したとおり、端末装置１０で動作するアプリケーションの画面には、希望設定温度を変更するボタンが表示される。アプリケーションのユーザ（居住者）は、ボタンを押下することにより、希望設定温度を任意に変更する。端末装置１０は、例えば、ユーザによって変更された希望設定温度を時間帯に関連付けて機械学習する。
【０１０５】
これにより、ユーザによる各時間帯の希望設定温度の入力を要することなく、端末装置１０は、時間帯に応じてユーザが所望する希望設定温度を取得することができる。すなわち、端末装置１０は、時間帯ごとの希望設定温度を効率的且つ高精度に取得することができる。これにより、ユーザの手間を要することなく、居住者全体にとって快適な決定設定温度を効率的に決定することができる。
【０１０６】
上記各実施形態では、第一通信部３１、第二通信部３２、記憶部３３、取得部３５、及び、制御部３６はソフトウェア機能部であるものとしたが、ＬＳＩ等のハードウェア機能部であってもよい。
【０１０７】
以上説明した少なくともひとつの実施形態によれば、空調制御装置３０は、空調機２０によって温度制御される領域に位置する、複数の端末装置１０にそれぞれ設定される希望設定温度（第１の設定温度）を受信する第二通信部（受信部）３２を持つ。また、空調制御装置３０は、領域における各端末装置１０の滞在時間を取得する取得部３５と、各端末装置１０の希望設定温度（第１の設定温度）及び滞在時間に基づいて、空調機２０に出力する決定設定温度（第２の設定温度）を決定する制御部３６とを持つ。このように、滞在時間をさらに加味することで、居住者全体にとってより快適な決定設定温度に決定することが可能になる。したがって、空調制御装置３０は、居住者全体にとって快適な空調を提供することができる。
【０１０８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０９】
１０（１０ａ〜１０ｃ）…端末装置、２０…空調機、２１（２１ａ〜２１ｄ）…吹き出し口、３０…空調制御装置、５０…クラウドコンピュータ、１１…通信部、１２…制御部、１３…表示部、１４…記憶部、１５…操作部、３１…第一通信部、３２…第二通信部、３３…記憶部、３４…設定温度データベース、３５…取得部、３６…制御部
【図１】
2019056498.tif 000003
【図２】
2019056498.tif 000004
【図３】
2019056498.tif 000005
【図４】
2019056498.tif 000006
【図５】
2019056498.tif 000007
【図６】
2019056498.tif 000008
【図７】
2019056498.tif 000009
【図８】
2019056498.tif 000010
【図９】
2019056498.tif 000011
【図１０】
2019056498.tif 000012
【図１１】
2019056498.tif 000013